(57)【要約】【課題】実施形態の課題は、狭額縁化および表示品位の向上を図ることが可能なバックライト装置、およびこのバックライト装置を備えた液晶表示装置を提供する。【解決手段】実施形態に係るバックライト装置は、出射面を形成する第１主面Ｓ１と、第２主面Ｓ２と、第１主面Ｓ１および第２主面Ｓ２に交差した入射面ＥＦと、を有する導光板ＬＧと、光源ユニット５０と、導光板の第１主面上に載置された光学シートＯＳ１と、を備えている。光学シートＯＳ１は、導光板ＬＧの入射面ＥＦを越えて光源ユニット５０と対向する位置まで延出した光源側端部を有している。この光源端子部に遮光部ＲＳ２を設ける。【選択図】  図７
2018026324.tif 000002
【特許請求の範囲】
【請求項１】
出射面を形成する第１主面と、前記第１主面と対向する第２主面と、前記第１主面および第２主面に交差した入射面と、を有する導光板と、
配線基板とこの配線基板に実装された発光素子とを備え、前記発光素子は、前記導光板の入射面に対向した発光面と、前記発光面の反対側に位置し前記配線基板に実装される実装面とを有し、前記配線基板は前記発光素子を挟んで前記入射面に対向している光源ユニットと、
前記導光板の第１主面上に載置された光学シートであって、前記入射面を越えて前記発光素子と対向する位置まで延出した光源側端部を有する光学シートと、
を備えるバックライト装置。
【請求項２】
前記発光素子は、前記発光面と直交し前記光学シートの光源側端部と対向する側面を有している請求項１に記載のバックライト装置。
【請求項３】
前記発光素子は、前記発光面と前記実装面との間に位置する発光中心を有し、
前記光学シートの光源側端部は、前記発光素子の側面において、前記発光中心と対向する領域を覆っている請求項２に記載のバックライト装置。
【請求項４】
前記光学シートは、拡散シートを含んでいる請求項１から３のいずれか１項に記載のバックライト装置。
【請求項５】
前記光学シートは、前記導光板の第１主面上に配置された拡散シートと、前記拡散シート上に配置されたプリズムシートと、を含んでいる請求項１から３のいずれか１項に記載のバックライト装置。
【請求項６】
前記拡散シートは前記光源側端部を有し、前記プリズムシートは、前記導光板の入射面と前記発光素子の発光面との境界を覆う位置まで延出した端部を有している請求項５に記載のバックライト装置。
【請求項７】
前記光学シートの光源側端部に形成され前記発光素子に対向する遮光層を更に備えている請求項１から５のいずれか１項に記載のバックライト装置。
【請求項８】
前記発光素子は、前記発光面と直交する側面を有し、前記側面は前記導光板の第２主面と並んで位置し、前記発光素子の前記側面および前記導光板の第２主面に亘って第２粘着部材が貼付されている請求項１又は２に記載のバックライト装置。
【請求項９】
第１基板と、この第１基板に対向して配置された第２基板と、前記第１基板と第２基板との間に設けられた液晶層と、を有する液晶パネルと、
前記第１基板に対向して設けられたバックライト装置と、を備え、
前記バックライト装置は、
出射面を形成する第１主面と、前記第１主面と対向する第２主面と、前記第１主面および第２主面に交差した入射面と、を有する導光板と、
配線基板とこの配線基板に実装された発光素子とを備え、前記発光素子は、前記導光板の入射面に対向した発光面と、前記発光面の反対側に位置し前記配線基板に実装される実装面とを有し、前記配線基板は前記発光素子を挟んで前記入射面に対向している光源ユニットと、
前記導光板の第１主面上に載置された光学シートであって、前記入射面を越えて前記発光素子と対向する位置まで延出した光源側端部を有する光学シートと、
を備える液晶表示装置。
【請求項１０】
前記光学シートは、拡散シートを含んでいる請求項９に記載の液晶表示装置。
【請求項１１】
前記光学シートは、前記導光板の第１主面上に配置された拡散シートと、前記拡散シート上に配置されたプリズムシートと、を含んでいる請求項１０に記載の液晶表示装置。
【請求項１２】
前記バックライト装置は、前記光学シートの光源側端部に形成され前記発光素子に対向する遮光層を備えている請求項９から１１のいずれか１項に記載の液晶表示装置。
【発明の詳細な説明】
【技術分野】
【０００１】
本発明の実施形態は、バックライト装置およびこれを備えた液晶表示装置に関する。
【背景技術】
【０００２】
近年、スマートフォン、パーソナルアシスタントデバイス（ＰＡＤ）、タブレットコンピュータ、カーナビゲーションシステム等の表示装置として、液晶表示装置が広く用いられている。一般に、液晶表示装置は、液晶パネルと、この液晶パネルの背面に重ねて配置され液晶パネルを照明するバックライト装置と、を備えている。バックライト装置は、反射層、導光板、光学シート、導光板に入射する光を照射する光源ユニット、これらを収容する収容ケース（ベゼル）等を有している。光源ユニットは、配線基板と、この配線基板上に実装された複数の光源、例えば、発光ダイオード（ＬＥＤ）と、を有している。
【０００３】
光源ユニットとしては、サイドビュー型のＬＥＤを用いたもの、およびトップビュー型のＬＥＤを用いたものが知られている。サイドビュー型のＬＥＤは、発光面が配線基板の実装面と直交する向きに設けられ、トップビュー型のＬＥＤは、発光面が配線基板の実装面と平行に対向する向きに設けられている。  
光源ユニットとしてサイドビュー型のＬＥＤを用いる場合、ＬＥＤは、発光面が導光板の入射面と対向し、配線基板は、導光板の出射面と平行に、すなわち、液晶パネルの表示面と平行な向きに配置される。そのため、配線基板に多数の配線を引き回せるように、配線基板の幅を広くすると、配線基板が表示領域に干渉し易くなり、液晶表示装置の狭額縁化の妨げとなる。
【０００４】
また、光源ユニットとしてトップビュー型のＬＥＤを用いる場合、ＬＥＤは、発光面が導光板の入射面と対向した状態に配置され、配線基板は、導光板の入射面と平行に、すなわち、バックライト装置の厚さ方向に延在した状態に配置される。そのため、配線基板が液晶パネルの表示領域に干渉することがなく、バックライト装置および液晶パネルの狭額縁化を図る上で有利となる。
【先行技術文献】
【特許文献】
【０００５】
【特許文献１】特開２０１５−０７９５７９号公報
【発明の概要】
【発明が解決しようとする課題】
【０００６】
しかしながら、ＬＥＤは、その構造上、発光面以外の側面から光が透け漏れる可能性がある。透け漏れる光が生じると、光源ユニット付近の輝度が不均一となり、表示品質に悪影響を及ぼすことが懸念される。また、トップビュー型のＬＥＤを用いる場合、導光板に対するＬＥＤの位置決め、固定に配線基板を利用することができず、ＬＥＤと導光板との間の位置ずれが懸念される。
ここで述べる実施形態の目的は、狭額縁化および表示品質の向上を図ることが可能なバックライト装置、およびこのバックライト装置を備えた液晶表示装置を提供することにある。
【課題を解決するための手段】
【０００７】
実施形態に係るバックライト装置は、出射面を形成する第１主面と、前記第１主面と対向する第２主面と、前記第１主面および第２主面に交差した入射面と、を有する導光板と、配線基板とこの配線基板に実装された発光素子とを備え、前記発光素子は、前記導光板の入射面に対向した発光面と、前記発光面の反対側に位置し前記配線基板に実装される実装面とを有し、前記配線基板は前記発光素子を挟んで前記入射面に対向している光源ユニットと、前記導光板の第１主面上に載置された光学シートであって、前記入射面を越えて前記発光素子と対向する位置まで延出した光源側端部を有する光学シートと、を備えている。
【図面の簡単な説明】
【０００８】
【図１】図１は、実施形態に係る液晶表示装置の表示面側を示す斜視図。
【図２】図２は、前記液晶表示装置の背面側を示す斜視図。
【図３】図３は、メインＦＰＣを折り返して固定した状態における前記液晶表示装置の背面側を示す斜視図。
【図４】図４は、前記液晶表示装置の分解斜視図。
【図５】図５は、前記液晶表示装置のバックライトユニットの分解斜視図。
【図６Ａ】図６Ａは、前記バックライトユニットの光源ユニットを示す斜視図。
【図６Ｂ】図６Ｂは、変形例に係るバックライトユニットの光学ユニットを示す斜視図。
【図７】図７は、図３の線Ａ−Ａに沿って破断した前記液晶表示装置の光源側部分を示す斜視図。
【図８】図８は、図７に対応する断面を含むバックライトユニットの斜視図。
【発明を実施するための形態】
【０００９】
以下、図面を参照しながら、この発明の実施形態について詳細に説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（実施形態）  
図１および図２は、実施形態に係る液晶表示装置の表示面側および背面側をそれぞれ示す斜視図、図３は、ドライバＩＣが実装されたメインＦＰＣを背面側に折り重ねた状態における液晶表示装置の背面側を示す斜視図、図４は、液晶表示装置の分解斜視図である。  
液晶表示装置１０は、例えばスマートフォン、タブレット端末、携帯電話機、ノートブックタイプＰＣ、携帯型ゲーム機、電子辞書、テレビ装置、カーナビゲーションシステムなどの各種の電子機器に組み込んで使用することができる。
【００１１】
図１、図２、図４に示すように、液晶表示装置１０は、アクティブマトリクス型の平板状の液晶パネル１２と、液晶パネル１２の一方の平板面である表示面１２ａに重ねて配置され、この表示面１２ａ全体を覆う透明なカバーパネル１４と、液晶パネル１２の他方の平板面である背面に対向して配置されたバックライト装置としてのバックライトユニット２０と、を備えている。
【００１２】
液晶パネル１２は、矩形平板状の第１基板ＳＵＢ１と、第１基板ＳＵＢ１に対向配置された矩形平板状の第２基板ＳＵＢ２と、第１基板ＳＵＢ１と第２基板ＳＵＢ２との間に保持された液晶層ＬＱと、を備えている。第２基板ＳＵＢ２の周縁部は、シール材ＳＥにより第１基板ＳＵＢ１に貼り合わされている。第２基板ＳＵＢ２の表面に偏光板ＰＬ２が貼付され、液晶パネル１２の表示面１２ａを形成している。第１基板ＳＵＢ１の表面（液晶パネル１２の背面）に偏光板ＰＬ１が貼付されている。
【００１３】
液晶パネル１２では、当該液晶パネル１２を平面視（液晶パネルの表示面の法線方向から当該液晶パネルを視認する状態をいう。以下同様。）した状態でシール材ＳＥの内側となる領域に矩形状の表示領域（アクティブ領域）ＤＡが設けられ、該表示領域ＤＡに画像が表示される。また、表示領域ＤＡの周囲に、矩形枠状の額縁領域ＥＤが設けられている。液晶パネル１２は、バックライトユニット２０からの光を表示領域ＤＡに選択的に透過又は変調することで画像を表示する透過表示機能を備えた透過型の液晶パネルである。液晶パネル１２は、主として基板主面に沿った横電界を利用する横電界モードに対応した構成を有していても良いし、主として基板主面に交差する縦電界を利用する縦電界モードに対応した構成を有していても良い。
【００１４】
図示した例では、第１基板ＳＵＢ１の短辺側の端部にフレキシブルプリント回路基板（メインＦＰＣ）２３が接合され、液晶パネル１２から外方に延出している。メインＦＰＣ２３には、液晶パネル１２を駆動するのに必要な信号を供給する信号供給源として、ドライバＩＣ２４等の半導体素子が実装されている。メインＦＰＣ２３の延出端に、サブＦＰＣ２５が接合されている。このサブＦＰＣ２５上に、コンデンサＣ１、コネクタ２６等が実装されている。図３に示すように、メインＦＰＣ２３およびサブＦＰＣ２５は、第１基板ＳＵＢ１の短辺側端縁に沿って折り返され、バックライトユニット２０の底板に重ねて配置される。後述するように、メインＦＰＣ２３およびサブＦＰＣ２５は、両面テープ等の粘着部材により、バックライトユニット２０の底板に貼付される。
【００１５】
図１および図４に示すように、カバーパネル１４は、例えば、ガラス板あるいはアクリル系の透明樹脂等により、矩形平板状に形成されている。カバーパネル１４は、液晶パネル１２の寸法（幅、長さ）よりも大きな幅および長さを有し、平面視で液晶パネル１２よりも大きな面積を有している。カバーパネル１４の下面（裏面）は、例えば、透明な接着剤あるいは粘着剤からなる粘着層により、液晶パネル１２の表示面１２ａに貼付され、液晶パネル１２の表示面１２ａを全面に亘って覆っている。  
カバーパネル１４の下面（裏面、液晶パネル側の面）に枠状の遮光層ＲＳが形成されている。カバーパネル１４において、液晶パネル１２の表示領域ＤＡと対向する領域以外の領域は、遮光層ＲＳにより遮光されている。遮光層ＲＳは、カバーパネル１４の上面（外面）に形成してもよい。なお、カバーパネル１４は、液晶表示装置１０の使用状況に応じて、省略してもよい。
【００１６】
バックライトユニット２０は、偏平な矩形状の収容ケース２２と、この収容ケース２２内に敷設あるいは配置された光学部材および光源ユニット５０と、を備えている。そして、バックライトユニット２０は、液晶パネル１２の背面に対向して配置され、枠状の粘着部材、例えば、両面テープＴＰ１により液晶パネル１２の背面、例えば、偏光板ＰＬ１に貼付されている。
【００１７】
図４に示すように、本実施形態においては、矩形状の表示領域ＤＡの各辺に対する矩形枠状の非表示領域ＥＤの幅がいずれも同じか、或いは略同じとなっている。より具体的には、表示領域ＤＡの一対の長辺に対する非表示領域ＥＤの幅ＷＬ１、ＷＬ２は、互いに等しい大きさとなっている（ＷＬ１＝ＷＬ２）。ここで、非表示領域の幅ＷＬ１、ＷＬ２とは、具体的には、当該表示領域の長辺において、表示領域ＤＡと非表示領域ＥＤの境界から第１基板ＳＵＢ１（及び第２基板ＳＵＢ２）の外縁までの大きさのことを示している。また、表示領域ＤＡの一対の短辺のうち、フレキシブルプリント回路基板２３が設けられる側（以下、実装側とも称する）の非表示領域ＥＤの幅をＷＳ１、これとは反対側となる短辺側の非表示領域ＥＤの幅をＷＳ２とすると、ＷＳ２≦ＷＳ１であって且つ、ＷＳ１／ＷＳ２≦２．０となることが好ましく、より好ましくＷＳ１／ＷＳ２≦１．５、さらに好ましくはＷＳ１／ＷＳ２≦１．０を採用することができる。ここで、非表示領域の幅ＷＳ１とは、当該表示領域の実装側の短辺において、表示領域ＤＡと非表示領域ＥＤの境界から第２基板ＳＵＢ２の外縁までの大きさのことを示している。また、非表示領域ＥＤの幅ＷＳ２とは、当該表示領域の実装側とは反対側となる短辺において、表示領域ＤＡと非表示領域ＥＤの境界から第１基板ＳＵＢ１（及び第２基板ＳＵＢ２）の外縁までの大きさのことを示している。  
また、これらの構成において、いずれも、ＷＬ１＝ＷＬ２＜１．５ｍｍかつＷＳ２＜１．５ｍｍが好ましく、ＷＬ１＝ＷＬ２＜１．０ｍｍ且つＷＳ２＜１．０ｍｍとする構成がさらに好ましい。さらには、これらいずれの構成においても、ＷＬ１＝ＷＬ２＝ＷＳ２を採用することも可能である。  
かかる構成を採用することにより、本実施形態においては、液晶パネル１２の実装側の非表示領域ＥＤの幅ＷＳ１を従来よりも著しく狭くした構成、即ち、当該実装側の非表示領域の幅ＷＳ１を他の非表示領域ＥＤの幅と略同等とした構成となる。これによって、表示領域ＤＡを包囲する非表示領域ＥＤの全辺の幅をいずれもほぼ同等とした狭額縁化の液晶パネル１２が形成されるものとなる。
【００１８】
次に、バックライトユニット２０についてより詳細に説明する。上述の如く実装側の非表示領域を従来よりも著しく狭額縁化した構成を実現すべく、本実施形態においては、特にバックライトユニットの光源側の構成を従来よりも相違させる。以下においては、当該バックライトユニットの特に光源側の構成についてより詳細に説明を進めていく。  
図５は、バックライトユニット２０の分解斜視図、図６Ａは、光源ユニットの斜視図および光源ユニットの一部を拡大して示す斜視図、図７は、図３の線Ａ−Ａに沿った液晶表示装置の光源側部分の断面図、図８は、バックライトユニット２０の光源側部分を破断して示す斜視図である。  
図５に示すように、バックライトユニット２０は、偏平な矩形状の収容ケース（ベゼル）２２と、収容ケース２２内に配置された複数の光学部材と、光学部材に入射する光を供給する光源ユニット５０と、を備えている。
【００１９】
収容ケース２２は、例えば、０．１ｍｍ厚のステンレス板材を折曲げ加工やプレス成形等することにより、偏平な矩形蓋状に形成されている。収容ケース２２は、矩形状の底板１６と、底板１６の各側縁に立設された一対の長辺側の側板１８ａおよび一対の短辺側の側板１８ｂと、を一体に有している。図５および図７に示すように、本実施形態において、底板１６の内、一方の短辺側に位置し、かつ、光源ユニット５０に対向する端部は、他の部分よりも一段低い段差部（凸部）１６ａとして形成され、外側に向かって、すなわち、収容ケース２２に収容された光源ユニット５０から離れる方向に向かって僅かに突出している。平面視で、底板１６は、液晶パネル１２の第１基板ＳＵＢ１の寸法よりも僅かに大きく、かつ、カバーパネル１４の寸法よりも小さい寸法（長さ、幅）に形成されている。
【００２０】
長辺側の側板１８ａは、底板１６に対してほぼ垂直に立設し、底板１６の長辺の全長に亘って延びている。短辺側の側板１８ｂは、底板１６に対してほぼ垂直に立設し、底板１６の短辺の全長に亘って延びている。これら側板１８ａ、１８ｂの底板１６からの高さは、例えば、１ｍｍ程度に形成されている。  
図５および図７に示すように、底板１６は、複数、例えば、３つの開口３０を有している。開口３０は、底板１６の一方の短辺の近傍に形成され、この短辺に沿って互いに間隔を置いて並んでいる。本実施形態において、開口３０は、底板１６の段差部１６ａに設けられている。各開口３０の幅は、後述する光源ユニット５０の配線基板の厚さよりも大きく形成されている。
【００２１】
バックライトユニット２０は、光学部材として、平面視で矩形状の反射シートＲＥ、導光板ＬＧ、複数枚、例えば、２枚の第１光学シートＯＳ１および第２光学シートＯＳ２を有している。光学シートは、２枚に限らず、３枚以上の光学シートを用いてもよい。  
反射シートＲＥは、収容ケース２２の底板１６の内形寸法とほぼ等しい外形寸法に形成されている。反射シートＲＥは、膜厚が２００μｍ以下、望ましくは、５０〜９０μｍ、反射率が９０％以上、望ましくは、９５％以上の反射シートを用いている。反射シートＲＥは、底板１６上の平坦部分のほぼ全面を覆って敷設され、わずかに段差部１６ａと対向している。また、かかる構成により、開口３０は反射シートに覆われていない。図７に示すように、反射シートＲＥの光源側の端部ＲＥａは、液晶パネル１２の表示領域ＤＡを越えて光源側に延出し、かつ、導光板ＬＧの入射面ＥＦよりも手前に位置している。端部ＲＥａを含む反射シートＲＥの一部は、両面テープＴＰ６により底板１６に貼付されている。
【００２２】
図５および図７に示すように、矩形状の導光板ＬＧは、出射面となる第１主面Ｓ１と、この第１主面Ｓ１に対向する第２主面Ｓ２と、第１主面Ｓ１と第２主面Ｓ２の側縁部を連結する複数、例えば、一対の長辺側の側面、および一対の短辺側の側面と、を有している。本実施形態では、導光板ＬＧの短辺側の一側面を入射面ＥＦとしている。導光板ＬＧは、板厚が例えば、０．２３ｍｍ〜０．３２ｍｍ程度のものを用いている。また、導光板ＬＧは、例えば、ポリカーボネイトやアクリル系、シリコン系等の樹脂で形成されている。  
導光板ＬＧは、平面視で、収容ケース２２の内径寸法よりも僅かに小さい外形寸法（長さ、幅）、かつ、液晶パネル１２の表示領域ＤＡよりも僅かに大きな外形寸法に形成されている。導光板ＬＧは、第２主面Ｓ２側が反射シートＲＥと対向した状態で、収容ケース２２内に配置され、反射シートＲＥ上に載置されている。これにより、導光板ＬＧの第１主面（出射面）Ｓ１は、収容ケース２２の底板１６とほぼ平行に位置し、入射面ＥＦは、底板１６に対してほぼ垂直に位置している。図７に示すように、導光板ＬＧの入射面側の端部は、液晶パネル１２の表示領域ＤＡを越えて光源側に延出している。更に、導光板ＬＧの入射面側の端部は、反射シートＲＥの端部ＲＥａよりも光源側に延出している。これにより、導光板ＬＧの入射面ＥＦは、収容ケース２２の短辺側の側板１８ｂと僅かな隙間を置いて対向している。当該隙間は、１．０ｍｍ以下が好ましく、０．８ｍｍ以下であるとさらに好ましい。より好ましくは０．５ｍｍ以下である。従来、当該隙間は３．０ｍｍ〜４．０ｍｍ程度あり、当該従来構成に対し、本実施形態におけるかかる収容ケース２２の短辺側の側板１８ｂと導光板ＬＧとの隙間は著しく狭い。そして、かかる隙間に光源ユニット５０が設けられるのである。
【００２３】
図５および図６Ａに示すように、光源ユニット５０は、例えば、細長い帯状の配線基板５２と、この配線基板５２上に並べて実装された複数の光源と、を備えている。光源としては、発光素子、例えば、発光ダイオード（ＬＥＤ）５４を用いている。  
配線基板５２は、フレキシブルプリント回路基板（ＦＰＣ）を用いている。配線基板５２は、ポリイミド等からなる絶縁層と、絶縁層上に形成された銅箔等の導電層と、を有している。導電層は、パターニングすることにより、複数の接続パッド５５および複数の配線５６を形成している。
【００２４】
配線基板５２は、収容ケース２２の側板１８ｂに沿って延びる帯状の実装部（実装領域）５２ａと、実装部５２ａの一側縁からほぼ垂直に延出した複数、例えば、３つの帯状の導出部（配線領域）５２ｂと、を一体に有している。実装部５２ａの長さＬ１は、導光板ＬＧの入射面ＥＦの長さとほぼ等しく形成されている。３つの導出部５２ｂは、実装部５２ａの長手方向に互いに離間して設けられている。  
複数の接続パッド５５は、実装部５２ａに設けられ、実装部５２ａの長手方向に並んで配置されている。複数の配線５６は、それぞれ接続パッド５５から配線基板５２の導出部５２ｂに引き回されている。
【００２５】
図６Ａに示すように、ＬＥＤ５４は、トップビュー型のＬＥＤを用いている。ＬＥＤ５４は、例えば、樹脂で形成されたほぼ直方体形状のケース（パッケージ）６０を有している。ケース６０の上面は、発光面６２を形成し、この発光面と反対側に位置するケース６０の底面が実装面を形成している。すなわち、ケース６０の底面に接続端子６３が設けられている。  
なお、ＬＥＤ５４は、概略的に直方体形状としているが、これに限定されるものではない。すなわち、ＬＥＤ５４の側面は凹凸を有していてもよく、あるいは、湾曲した形状としてもよい。
【００２６】
ＬＥＤ５４は、ケース６０の底面が配線基板５２の実装部５２ａ上に実装され、接続端子６３が接続パッド５５に電気的に接合される。ＬＥＤ５４の発光面６２は、配線基板５２とほぼ平行に位置し、ＬＥＤ５４は、配線基板５２に対してほぼ垂直な方向に、発光面６２から光を出射する。  
各ＬＥＤ５４は、ケース６０の長手方向が実装部５２ａの長手方向と整列した状態で、実装部５２ａに実装されている。実装部５２ａの幅Ｗ１は、ＬＥＤ５４の幅Ｗの１．１〜１．５倍に形成されている。本実施形態では、光源ユニット５０は、表示領域ＤＡの幅に応じて、３０〜５０個のＬＥＤ５４を有している。当該搭載個数は、同じ面積の表示領域を有する従来構成と比較した場合、２．５〜３倍程度になる。これらのＬＥＤ５４は、実装部５２ａの長手方向一端から他端まで、一列に並べて実装部５２ａ上に配置されている。  
なお、本実施形態において、これらＬＥＤ５４の配列ピッチＰは、当該ＬＥＤ５４の並び方向の長さＬの１．１倍〜１．５倍程度とし、隣り合うＬＥＤ５４の間隔Ｄは当該ＬＥＤ５４の長さＬの１０％〜５０％程度としている。従来、ＬＥＤの配列ピッチはＬＥＤの長さの２倍程度以上に設定されている。これに対して、本実施形態では、ＬＥＤ５４の間隔Ｄを従来よりも狭めて設置することで、隣り合う点光源間に発生する輝度ムラの領域の狭小化が図られている。
【００２７】
本実施形態では、ＬＥＤ５４を固定、位置決めするための第２粘着部材として、帯状の固定テープＴＰ２がＬＥＤ５４の側面に貼付されている。固定テープＴＰ２は、幅方向の約半分の領域がＬＥＤ５４に貼付され、残り半分の領域は、導光板ＬＧに貼付される。固定テープＴＰ２は、例えば、ポリエチレンテレフタレート（ＰＥＴ）で形成された帯状の基材５５ａと、基材５５ａの少なくとも一方の面に形成された接着剤層５５ｂあるいは粘着剤層と、を有している。また、基材５５ａおよび接着剤層５５ｂの少なくとも一方は、例えば、微細な黒色粒子や黒色インク等により黒色に着色されている。これにより、固定テープＴＰ２は、遮光機能を有する遮光部材を構成している。なお、固定テープＴＰ２は、連続した１本のテープに限らず、複数の分割された固定テープを用いてもよい。
【００２８】
ＬＥＤ５４の搭載数は、３０〜５０個に限らず、必要に応じて増減可能である。より長さＬの長いＬＥＤを用いることにより、ＬＥＤの搭載数を低減してもよい。図６Ｂに示す変形例によれば、ＬＥＤ５４の長さＬを、図６Ａに示したＬＥＤ５４の約４〜５倍程度としている。配線基板５２の実装部５２ａの幅Ｗ１は、ＬＥＤ５４の幅Ｗの１．１〜１．５倍に形成されている。ＬＥＤ５４の配列ピッチＰは、ＬＥＤ５４の長さＬの１．１倍〜１．５倍程度とし、隣り合うＬＥＤ５４の間隔Ｄは、ＬＥＤ５４の長さＬの１０％〜５０％程度としている。
【００２９】
図７および図８に示すように、上記のように構成された光源ユニット５０は、収容ケース２２内に配置されている。配線基板５２の実装部５２ａおよびＬＥＤ５４は、導光板ＬＧの入射面ＥＦと収容ケース２２の側板１８ｂとの間に配置されている。複数のＬＥＤ５４の発光面６２は、導光板ＬＧの入射面ＥＦに対向し、あるいは、入射面ＥＦに当接している。配線基板５２の実装部５２ａは、粘着部材、例えば、両面テープＴＰ３により、側板１８ｂの内面に貼付されている。実装部５２ａは、ＬＥＤ５４を挟んで、入射面ＥＦに対向している。なお、粘着部材は、両面テープＴＰ３に限らず、例えば、ＵＶ硬化型の接着剤を用いることもできる。ＬＥＤ５４の発光は、紫外線領域の光を含んでいることから、この紫外線光を利用してＵＶ硬化型の接着剤を硬化させることができる。  
全てのＬＥＤ５４の側面（図では、収容ケース２２の底板１６側の側面）および導光板ＬＧの第２主面Ｓ２に亘って固定テープＴＰ２が貼付されている。ＬＥＤ５４は、この固定テープＴＰ２により、導光板ＬＧに対して位置決めおよび固定されている。
【００３０】
光源ユニット５０の各ＬＥＤ５４は、発光面６２と直交する４つの側面を有している。４つの側面の内、底板１６側に位置する長辺側の側面５４ｂは、導光板ＬＧの第２主面Ｓ２とほぼ面一に並んで位置している。そして、固定テープＴＰ２は、幅方向の約半分の領域がＬＥＤ５４の側面５４ｂに貼付され、残りの半分の領域が導光板ＬＧの第２主面Ｓ２の入射面側端部に貼付されている。また、各ＬＥＤ５４は、発光面６２と実装面とから等距離となる位置に発光中心Ｃを有している。固定テープＴＰ２は、ＬＥＤ５４の側面５４ｂにおいて、少なくとも発光中心Ｃと対向する領域を覆っている。更に、固定テープＴＰ２は、導光板ＬＧの面方向に、反射シートＲＥと並んで配置されている。すなわち、固定テープＴＰ２は、反射シートＲＥの光源側端部ＲＥａの近傍まで延在し、僅かな隙間を置いて、反射シートＲＥと面方向に並んでおり、これら固定テープＴＰ２と反射シートＲＥは互いに積層される関係ではない。  
このようにして、ＬＥＤ５４は、固定テープＴＰ２を介して導光板ＬＧに留め付けられ、発光面６２が導光板ＬＧの入射面ＥＦに当接した状態に位置決めされている。更に、固定テープＴＰ２により、ＬＥＤ５４の側面５４ｂ側を遮光し、ＬＥＤ５４からの光漏れを抑制している。  
本実施形態によれば、固定テープＴＰ２は、反射シートＲＥよりも厚く形成され、収容ケース２２の底板１６の段差部１６ａ内に配置されている。固定テープＴＰ２は、底板１６の内面に当接し、各開口３０の少なくとも一部を覆っている。
【００３１】
また、図７に示す如く、固定テープＴＰ２の導光板ＬＧ側の端部は、非表示領域ＥＤ内で反射シートＲＥの端部ＲＥａと対向している。さらには、当該固定テープＴＰ２の導光板ＬＧ側の端部は、導光板ＬＧを介して両偏光板ＰＬ１、ＰＬ２の端部とも対向している（平面視で見て互いに積層状態の関係である）。導光板ＬＧの端部において、このように固定テープＴＰ２に貼り付けられる領域は、光源たるＬＥＤ５４にきわめて近接していると同時に反射シートＲＥと対向せずに遮光性を有する固定テープＴＰ２に対向している。そのため、導光板ＬＧの端部では、第２主面Ｓ２にて光源からの光が反射することがないため、出射面（第１主面Ｓ１）に向けての光の照射がほとんどなされない領域となる。しかし、かかる領域も偏光板ＰＬ１、ＰＬ２によって覆うことにより、不測の出射光が表示領域ＤＡに抜け出て表示品質を低下させることを抑制することができるものとなる。
【００３２】
図２および図５に示すように、帯状の連結ＦＰＣ７２が両面テープＴＰ５により底板１６の背面に貼付されている。連結ＦＰＣ７２は、底板１６の光源側の短辺に沿って延在している。連結ＦＰＣ７２は接続部７３を有し、この接続部７３の延出端にコネクタ７４が設けられている。  
図２、図７および図８に示すように、配線基板５２の３つの導出部５２ｂは、それぞれ底板１６の開口３０を通して底板１６の背面側に導出され、更に、底板１６側に折曲げられて底板１６の背面に対向している。各導出部５２ｂの導出端部は、例えば、ハンダにより連結ＦＰＣ７２に接合されている。これにより、配線基板５２の配線５６は、連結ＦＰＣ７２の配線に電気的に接続されている。なお、前述したように、導出部５２ｂが挿通される開口３０の幅は、配線基板５２の板厚よりも大きく形成している。そのため、導出部５２ｂを折曲げる際、底板１６に干渉することなく比較的大きな曲率で導出部５２ｂを折曲げることができる。
【００３３】
帯状の補強両面テープＴＰ７が底板１６の背面に貼付されている。補強両面テープＴＰ７は、底板１６の光源側の短辺に沿って延在し、各開口３０の一部を覆っている。開口３０を通して背面側に導出している導出部５２ｂは、折曲げられた後、補強両面テープＴ７に貼付されている。これにより、導出部５２ｂは、折曲げ状態に保持されている。  
更に、本実施形態では、補強両面テープＴＰ７の一部は、底板１６の各開口３０を塞いだ状態で延在しており、スペーサ６１を介して固定テープＴＰ２に当接している。
【００３４】
本実施形態によれば、バックライトユニット２０の第１光学シートＯＳ１および第２光学シートＯＳ２として、例えば、ポリエチレンテレフタレート等の合成樹脂で形成された光透過性を有する拡散シートおよびプリズムシートを用いている。図５に示すように、第１光学シートＯＳ１は、導光板ＬＧの外形寸法よりも僅かに大きい（長い）外形寸法を有する矩形状に形成されている。第１光学シートＯＳ１は、導光板ＬＧの第１主面Ｓ１に重ねて載置され、第１主面Ｓ１の全面を覆っている。同様に、第２光学シートＯＳ２は、導光板ＬＧの外形寸法よりも僅かに大きい（長い）外形寸法を有する矩形状に形成されている。第２光学シートＯＳ２は、第１光学シートＯＳ１に重ねて載置され、第１光学シートＯＳ１のほぼ全面を覆っている。
【００３５】
図７および図８に示すように、第１光学シートＯＳ１の一方の短辺側の端部ＯＳ１ａは、導光板ＬＧの入射面ＥＦを越えてＬＥＤ５４と対向する位置まで延出している。端部ＯＳ１ａは、ＬＥＤ５４の発光中心Ｃと対向する領域まで延びている。  
第１光学シートＯＳ１においては、図７中に二点鎖線で示す如く、光源ＬＥＤ及び導光板ＬＧの入射面ＥＦと重なる縁部に遮光部ＲＳ２（例えば、黒色印刷、黒色フィルム等）を設ける構成を採用することが可能である。かかる構成を採用することにより、光源部からの漏れ光を遮光部ＲＳ２で吸収でき、当該漏れ光が表示領域ＤＡ側に入り込むことに起因した表示品質の低下がより効果的に抑制されることとなる。  
遮光部ＲＳ２は、第１光学シート（拡散シート）ＯＳ１の端縁部から少なくともＬＥＤ５４及び導光板ＬＧの入射面ＥＦに被さる所定の領域に設けられていることが好ましく、当該入射面ＥＦから導光板ＬＧ内側に向けて、当該導光板の厚さ程度の領域を覆う程度に設けられていることがさらに好ましい。また、遮光部ＲＳ２は、第１光学シートＯＳ１のいずれかの表面に黒色等の遮光シートを貼り付ける構成や、遮光シートの当該領域に黒色を塗布する構成を採用することができる。  
【００３６】
このように、本実施形態において、ＬＥＤ５４は、固定テープＴＰ２によって、導光板ＬＧに留め付けられ且つ固定されている。この結果、いずれのＬＥＤ５４の発光面６２も導光板ＬＧの入射面ＥＦに当接した状態、あるいは、僅かな間隔を有して対向した状態が強固に維持され、外部衝撃等によっても導光板ＬＧの入射面ＥＦに対してＬＥＤ５４の向きが変わってしまうことを抑制するものとなっている。また、これらの両面テープＴＰ２および遮光部ＲＳ２は、ＬＥＤ５４および導光板ＬＧの入射面ＥＦへの対向部位が黒色に形成されているため、各ＬＥＤ５４の発光面６２の上下空間には、黒色面からなる遮光領域が設けられる。光源たるＬＥＤ５４近傍においては、発光面６２から放射状に光が出射することとなり、これらの光のうち、導光板ＬＧの入射面ＥＦの法線方向に対し例えば４５°以上の深い角度で入射する光は、これらテープＴＰ２及び遮光部ＲＳ２によって吸収される。一方、上記法線方向に対し例えば４５度以下の浅い角度で入射する光は導光板ＬＧ内を直進、或いは反射を繰り返して導光板ＬＧの奥方まで進行するものとなる。その結果、当該発光面６２から少なくとも上下に向けての光漏れが著しく制限される。本来必要とされる光が有効利用されることはもちろん、当該遮光領域に向けて出射される不測の光が吸収され、当該不測の光が本来必要としない角度で表示領域ＤＡ側に向けて出射されることが抑制される。  
なお、上記においては、導光板ＬＧの入射面ＥＦの法線方向とのなす角度を４５°より小さい角度を浅い角度、４５°以上を深い角度としたが、かかる角度は導光板ＬＧの屈折特性等に応じて適宜変更され、より大きい角度、例えば５０°や６０°を以てこれら浅い角度、深い角度を定義づけることもできる。
【００３７】
図７に示すように、第２光学シートＯＳ２の光源側の端部ＯＳ２ａは、表示領域ＤＡから非表示領域ＥＤに向けて突出し、第１光学シートＯＳ１の端縁と重なるとともに、導光板ＬＧの入射面ＥＦを僅かに越えて延出している。端部ＯＳ２ａは、第１光学シートＯＳ１の端部ＯＳ１ａおよび遮光部ＲＳ２に重なって位置している。  
このように、非表示領域ＥＤにおいても、導光板ＬＧの端部および入射面ＥＦ、ＬＥＤ５４の発光面６２、遮光部ＲＳ２に対向して、第１光学シートＯＳ１およびプリズムシートからなる第２光学シートＯＳ２が積層配置されている。そのため、この種の発光部位に近接した空間に発生しやすい不測の漏れ光において、液晶パネル１２に向かう光は、表示領域ＡＤと同様に、第１光学シートＯＳ１および第２光学シートＯＳ２を通過するものとなり、特に表示領域端部（発光部位側端部）におけるバックライト装置の出射光の乱れを抑制することができるものとなる。
【００３８】
図７に示すように、表示領域ＤＡと非表示領域ＥＤとの境界から第１基板ＳＵＢ１の実装側端部までの大きさＷＴは、１．５ｍｍ以下が好ましく、より好ましくは、１．３ｍｍ以下である。  
本実施形態においては、平面視で当該第１基板ＳＵＢ１の端縁と重なる位置に光源ユニット５０のＬＥＤ５４が設けられている。この結果、表示領域ＤＡと非表示領域ＥＤの境界と、ＬＥＤ５４の発光面６２との間隔は１．３ｍｍ以下、より好ましくは０．８ｍｍ以下となり、当該間隔は従来の構成よりも著しく狭い。  
従来の構成では、点光源たるＬＥＤの配列ピッチがＬＥＤの長さの２倍程度以上とされると共に、上記の発光面６２と表示領域の境界との間隔は２．０ｍｍ〜３．０ｍｍ程度設けられていた。このように従来の構成では、点光源の配列ピッチを大きくし、点光源から表示領域ＤＡの最外縁までの間隔をある程度大きく設定することによって、隣り合う点光源（ＬＥＤ）間の輝度ムラが表示領域ＤＡに現れることが防止していた。更には、当該ＬＥＤの発光面から不測の角度で導光板の入射面に入射する光を当該間隔のうちに導光板と反射シートとの間で反射を繰り返すことで表示領域に向けて出射させる光に変化させるといったいわばバッファーとして当該間隔は機能していた。  
本実施形態においては、当該バッファーとしての間隔は著しく狭く、かかる間隔のみでは上述の如き光源間の輝度ムラの問題を解決することが難しい。そこで、本実施形態においては、ＬＥＤ５４を多数配置することで輝度ムラの解消を図ると共に、発光面および入射面周囲を遮光することにより、発光面６２からの不測の光を吸収して表示領域ＤＡへの光の安定的な出射を図っている。
【００３９】
上記のように構成されたバックライトユニット２０は、枠状の両面テープＴＰ１により液晶パネル１２の背面に貼付されている。図７に示すように、収容ケース２２の側板１８ａ、１８ｂの外面に両面テープＴＰ１が貼付されている。両面テープＴＰ１の一部は、折曲げられ、側板１８ａ、１８ｂから第２光学シートＯＳ２に向かって延出している。図７に示す如く、両面テープＴＰ１は、少なくとも第２光学シートＯＳ２の光源側端部に重なり、当該端部に貼付されている。更に、液晶パネル１２側では、両面テープＴＰ１は、偏光板ＰＬ１の周縁部、およびスペーサ８２を挟んで第１基板ＳＵＢ１の周縁部に、貼付されている。
【００４０】
図３および図７に示すように、液晶パネル１２から延出したメインＦＰＣ２３およびサブＦＰＣ２５は、収容ケース２２の側板１８ｂに沿って底板１６の背面側に折り返されている。メインＦＰＣ２３およびサブＦＰＣ２５は、図示しない粘着部材により、底板１６に貼付される。また、連結ＦＰＣ７２のコネクタ７４は、サブＦＰＣ２５上の接続部に接続される。
【００４１】
以上のように構成された液晶表示装置１０によれば、光源ユニット５０はトップビュー型のＬＥＤ５４を用いていることから、光源ユニット５０の配線基板５２は、ＬＥＤ５４を挟んで導光板ＬＧの入射面ＥＦと対向して配置することができる。そのため、配線基板５２が光学シート、導光板等の光学部材や液晶パネル１２の表示領域ＤＡに干渉することがなく、光源側の額縁領域ＥＤを大幅に削減することが可能となる。  
第１光学シートＯＳ１の光源側端部ＯＳ１ａをＬＥＤ５４に対向して配置することにより、ＬＥＤ５４のケース側面から光学シート側に漏れ出る光を、第１光学シートＯＳ１により拡散することができる。本実施形態では、遮光部ＲＳ２を設けることにより、ＬＥＤ５４のケース側面から光学シート側に漏れ出る光を遮光部ＲＳ２により遮光することができる。これにより、不要な方向の光漏れを抑制し、輝度ムラやホットスポットの発生を防止することができ、その結果、表示装置の表示品質を向上することが可能となる。
【００４２】
また、遮光部ＲＳ２は光学シートＯＳ１に印刷等により形成され、当該光学シートＯＳ１と比較しても著しく薄い。この結果、当該光学シートＯＳ０１の光源側端部、及び光学シートＯＳ０２の光源側端部は、導光板ＬＧの第１主面Ｓ１に沿った状態で配置されることとなり、当該端部に撓みや曲げ等が発生する虞はない。従って、当該部分で不測の光路が形成されることはなく、ＬＥＤ光源５４からの光路の管理が容易となる。また、当該箇所には遮光部ＲＳ２が存在することから、当該遮光部ＲＳ２による遮光効果と相俟って、光源付近での不測の漏れ光の発生が著しく抑制される。
【００４３】
また、本実施形態によれば、ＬＥＤ５４の側面および導光板ＬＧの第２主面Ｓ２に亘って固定テープ（第２粘着部材）ＴＰ２を貼付することにより、導光板ＬＧに対してＬＥＤ５４を位置決めおよび固定している。これにより、ＬＥＤ５４をその発光面が導光板ＬＧの入射面ＥＦに当接した状態に保持し、ＬＥＤ５４の光軸を導光板ＬＧの入射面ＥＦに正しく合わせることができる。更に、固定テープＴＰ２は遮光性を有していることから、ＬＥＤ５４のケース側面から漏れ出る光、およびＬＥＤ５４の発光面と導光板ＬＧの境界から漏れ出る光を固定テープＴＰ２により遮光することができる。これにより、不要な光の漏れを一層確実に防止することができ、表示装置の表示品質をより向上することが可能となる。
【００４４】
本実施形態によれば、光源ユニット５０の配線基板５２は、収容ケース２２の底板１６の背面側に導出した導出部５２ｂを有し、この導出部５２ｂは底板１６に当接している。そのため、ＬＥＤ５４から発生した熱は、配線基板５２を介して熱容量の大きい収容ケース２２に伝熱され、更に、収容ケース２２から外部に放熱される。これにより、光源ユニット５０の光源部の過度の昇温を抑制し、バックライトユニット２０の局部的な昇温を防止することができる。  
以上のことから、本実施形態によれば、狭額縁化および表示品質の向上を図ることが可能なバックライト装置、およびこのバックライト装置を備えた液晶表示装置を提供することができる。
【００４５】
本発明のいくつかの実施形態および変形例を説明したが、これらの実施形態および変形例は、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。実施形態やその変形例は、発明の範囲や要旨に含まれるとともに、特許請求の範囲に記載された発明とその均等の範囲に含まれる。
【００４６】
本発明の実施形態として上述した各構成を基にして、当業者が適宜設計変更して実施し得る全ての構成及び製造工程も、本発明の要旨を包含する限り、本発明の範囲に属する。また、上述した実施形態によりもたらされる他の作用効果について本明細書の記載から明らかなもの、又は当業者において適宜想到し得るものついては、当然に本発明によりもたらされるものと解される。  
例えば、第１光学シートの光源側端部に設けられる遮光部は、上述した黒色印刷、遮光フィルムに限らず、その他の遮光層を用いてもよい。また、光学シートとしての拡散シートの光源側端部のみにより、漏れ光を拡散して低減することができるため、遮光層は省略することが可能である。  
液晶パネル、およびバックライトユニットの構成部材の外形状および内形状は、矩形状に限定されることなく、外形あるいは内径のいずれか一方あるいは両方を平面視多角形状や円形、楕円形、およびこれらを組み合わせた形状等の他の形状としてもよい。構成部材の材料は、上述した例に限らず、種々選択可能である。
【符号の説明】
【００４７】
１０…液晶表示装置、１２…液晶パネル、１４…カバーパネル、  
１６…底板、１８ａ、１８ｂ…側板、２０…バックライトユニット、  
２２…収容ケース、２３…メインＦＰＣ、２４…ドライバＩＣ、３０…開口、  
５０…光源ユニット、５２…配線基板、５４…光源（ＬＥＤ）、５２ａ…実装部、  
５２ｂ…導出部、５６…配線、６２…発光面、ＳＵＢ１…第１基板、  
ＳＵＢ２…第２基板、ＬＱ…液晶層、ＥＦ…入射面、ＲＥ…反射シート、  
ＤＡ…表示領域、ＥＤ…額縁領域、ＬＧ…導光板、ＯＳ１、ＯＳ２…光学シート、  
ＰＬ１、ＰＬ２…偏光板、ＴＰ２…固定テープ、ＲＳ２…遮光部
【図１】
2018026324.tif 000003
【図２】
2018026324.tif 000004
【図３】
2018026324.tif 000005
【図４】
2018026324.tif 000006
【図５】
2018026324.tif 000007
【図６Ａ】
2018026324.tif 000008
【図６Ｂ】
2018026324.tif 000009
【図７】
2018026324.tif 000010
【図８】
2018026324.tif 000011